(57)【要約】【課題】メンテナンス時でのコネクタカバーの取り外しを容易にしつつ、コネクタカバーを不正に開放できないようにして、不正行為の防止効果を十分に確保し得る遊技機用基板ケースを提供する。【解決手段】基板ケース２３は、上ケース４１と下ケース４２とによりコネクタ８３ａが実装された制御基板４５を収納してなる。上ケースの周縁部に上ケースと下ケースとを結合するための複数の結合部を形成し、一回の結合時にはその中の少なくとも１つの結合部で締結具により分離不能に結合する。上ケースに制御基板側のコネクタ４４ａに対向して開口部６６を設け、開口部を通してケーブル側のコネクタが基板側のコネクタに接続される。この両コネクタを覆うコネクタカバー７１が装着される。コネクタカバーに、両コネクタを覆って装着したとき上ケース又は制御基板に係合する係合部７７を設け、係合部を、ケース内側からのみ係合状態を解除可能に形成する。【選択図】図１２
2008062013.tif 000002
【特許請求の範囲】
【請求項１】
上ケースと下ケースとによりコネクタが実装された制御基板を収納する収納空間が構成されており、上記上ケースの周縁部には上ケースと下ケースとを結合するための複数の結合部が形成され、一回の結合時にはその中の少なくとも１つの結合部で締結具により結合し、かつその結合部、結合部の周辺又は締結具を破壊しない限り分離不能にするように構成されており、上記上ケースには制御基板側のコネクタに対向して開口部が設けられ、この開口部を通してケーブル側のコネクタが制御基板側のコネクタに接続されるように構成されているとともに、この接続されたコネクタ同士を覆うコネクタカバーが装着されてなる遊技機用基板ケースにおいて、
上記コネクタカバーには、上記コネクタ同士を覆って装着したとき上ケース又は制御基板に係合する係合部が設けられ、この係合部は、上記収納空間側からのみ係合状態を解除可能に形成されていることを特徴とする遊技機用基板ケース。
【請求項２】
上記係合部の係合状態は、係合部を破壊することなく収容空間側から解除可能に設けられている請求項１記載の遊技機用基板ケース。
【請求項３】
上記係合部は、コネクタカバーの長手方向両側に一対設けられ、かつそれぞれ制御基板に設けた挿入孔に挿入して係合するように内向き又は外向きに突出した形状に形成されている請求項２記載の遊技機用基板ケース。
【請求項４】
上記係合部は、コネクタカバーの長手方向両側に一対設けられ、かつそれぞれ制御基板の縁部に係合するように内向きに突出した形状に形成されている請求項２記載の遊技機用基板ケース。
【請求項５】
上記コネクタカバーの両端部にはそれぞれ外向きの水平なフランジ部が形成されている一方、上記上ケースの開口部周辺には、この各フランジ部が摺動可能に嵌合する一対のガイド溝が設けられて、このガイド溝の案内の下にコネクタカバーが開口部を覆う被覆位置と開口部を開放する開放位置との間を摺動可能に設けられており、上記係合部は、このコネクタカバーの各フランジ部に１つずつ設けられ、かつコネクタカバーが被覆位置に摺動したとき上ケースに設けた陥入孔に陥入して係合するように下向きに突出した形状に形成されている請求項２記載の遊技機用基板ケース。
【請求項６】
上記コネクタカバーは、その長手方向長さが上ケースの開口部のそれよりも大きく形成されており、上記係合部は、このコネクタカバーの長手方向両側に一対設けられ、かつそれぞれ上ケースの開口部近傍に設けた挿入孔に挿入して係合するように内向き又は外向きに突出した形状に形成されている請求項２記載の遊技機用基板ケース。
【請求項７】
上記係合部の周囲には、可撓性部が形成されているとともに、この可撓性部を外部から保護するカバー部が形成されている請求項１ないし請求項６のいずれか一つに記載の遊技機用基板ケース。
【請求項８】
上ケースと下ケースとによりコネクタが実装された制御基板を収納する収納空間が構成されており、上記上ケースの周縁部には上ケースと下ケースとを結合するための複数の結合部が結合され、一回の結合時にはその中の少なくとも１つの結合部で締結具により結合し、かつその結合部、結合部の周辺又は締結具を破壊しない限り分離不能にするように構成されており、上記上ケースには制御基板側のコネクタに対向して開口部が設けられ、この開口部を通してケーブル側のコネクタが制御基板側のコネクタに接続されるように構成されてなる遊技機用基板ケースにおいて、
上記ケーブル側のコネクタには、制御基板側のコネクタに接続したとき上ケース又は制御基板に係合する係合部が設けられ、この係合部は、上記収納空間側からのみ係合状態を解除可能に形成されていることを特徴とする遊技機用基板ケース。
【請求項９】
請求項１ないし請求項８のいずれか一つに記載の遊技機用基板ケースと、この基板ケース内に収納された制御基板側のコネクタにケーブルを介して接続されかつ所定の箇所に取り付けられた他の基板とを備えた遊技機において、
上記他の基板に実装されたコネクタを含めて基板の取付面と反対側の表面全体を覆う基板カバーを備え、この基板カバーは、その配置箇所に分離不能に固定するための固定部と、この固定部を他の部位から切断し易くするための脆弱部とを有してなることを特徴とする遊技機。
【発明の詳細な説明】
【技術分野】
【０００１】
本発明は、スロットマシンやパチンコ機などの遊技機に装備される制御基板を収納する遊技機用基板ケース及び遊技機に関する。
【背景技術】
【０００２】
従来、遊技機に装備される制御基板は、その実装品であるＲＯＭの取り替えなどの不正改造を防止するために、上ケースと下ケースとからなる基板ケース内に収納し、この基板ケースの開放を禁止する種々の工夫を施している。例えば特許文献１には、基板ケースの上ケースの周縁部に上ケースと下ケースとを結合するための複数の結合部を形成し、一回の結合時にはその中の少なくとも１つの結合部でワンウエイネジ、リベット又はピンなどの締結具により分離不能に結合することが開示されている。この方法によれば、制御基板の不正改造をするためには結合部又はその周辺を破壊しなければならず、また不正改造が行われた場合には破壊の痕跡が残ることから、制御基板の不正改造を予防ないし防止できるという効果が得られる。尚、特許文献１に開示のものでは、詳しくは上ケースを上蓋部分と側壁部分とに分離し、この上蓋部分の周縁部に複数の結合部を形成している。
【０００３】
一方、上記制御基板には、通常、遊技機に装備される他の基板（例えば中継基板や電装基板など）からの信号を受け、あるいは信号を送るためのコネクタが実装されている。このため、制御基板を収納する基板ケースの上ケースには、コネクタに対向して開口部が設けられ、この開口部を通してケーブル側のコネクタが基板側のコネクタに接続されるように構成されている。しかし、この場合、不正な遊技者などがケーブル側のコネクタを外し、基板側のコネクタに不正な機器を接続することにより、基板ケース内に収納された制御基板に対し不正な信号を入力して不正に遊技媒体を獲得するという不正行為が行われる虞がある。
【０００４】
そこで、このような不正行為を防止するために、例えば特許文献２に開示されているように、制御基板側のコネクタにケーブル側のコネクタを接続した後、この両コネクタを覆うコネクタカバーを設けるとともに、このコネクタカバーに、制御基板側のコネクタ又はケーブル側のコネクタと係合する突起部を形成して、両コネクタを覆って基板ケースに装着されたコネクタカバーを外し難くしたものが提案されている。
【特許文献１】特許第２８９５８２９号公報
【特許文献２】特開２００６−３４７８４号公報
【発明の開示】
【発明が解決しようとする課題】
【０００５】
しかしながら、上記提案のものでは、コネクタカバーの突起部とコネクタとの係合強度を余り強くし過ぎるとメンテナンス時などでコネクタカバーを取り外すとき、コネクタカバーを強く引き抜くことによって制御基板側のコネクタ又は制御基板にまで損傷を与えかねないという虞がある。このため、係合強度は、コネクタカバーの取り外しに多少時間がかかる程度にしているに過ぎず、不正行為の防止効果を十分に発揮することができないのが実情である。
【０００６】
本発明はかかる点に鑑みてなされたものであり、その第１の課題とするところは、特に、コネクタカバーを装着した後コネクタの抜き差しが必要になるときは制御基板のメンテナンス時などで基板ケースを開放するときでもあることに着目し、この基板ケースを開放した状態でコネクタカバー又はケーブル側のコネクタを外し得るようにすることにより、メンテナンス時でのコネクタカバーの取り外しを容易にしつつ、コネクタカバーを不正に開放できないようにして、不正行為の防止効果を十分に確保し得る遊技機用基板ケースを提供せんとするものである。
【０００７】
また、本発明の第２の課題は、遊技機に上記基板ケースを装備し、また、この基板ケース内に収納された制御基板とケーブルを介して接続されかつ専用のケース内に収納することなく露出した状態で所定の箇所に取り付けられる他の基板を装備する場合、この他の基板側から制御基板に対し不正な信号を入力し得ないように適切な対策を講じて、不正行為の防止化を実施上有効に図り得る遊技機を提供するものである。
【課題を解決するための手段】
【０００８】
上記第１の課題を解決するため、請求項１に係る発明は、遊技機用基板ケースとして、上ケースと下ケースとによりコネクタが実装された制御基板を収納する収納空間が構成されており、上記上ケースの周縁部には上ケースと下ケースとを結合するための複数の結合部が形成され、一回の結合時にはその中の少なくとも１つの結合部で締結具により結合し、かつその結合部、結合部の周辺又は締結具を破壊しない限り分離不能にするように構成されており、上記上ケースには制御基板側のコネクタに対向して開口部が設けられ、この開口部を通してケーブル側のコネクタが制御基板側のコネクタに接続されるように構成されているとともに、この接続されたコネクタ同士を覆うコネクタカバーが装着されてなることを前提とする。そして、上記コネクタカバーに、上記コネクタ同士を覆って装着したとき上ケース又は制御基板に係合する係合部を設け、この係合部を、上記収納空間側からのみ係合状態を解除可能に形成する構成にする。
【０００９】
この構成では、基板ケースの収納空間に制御基板を収納して上ケースと下ケースとを少なくとも１つの結合部で分離不能に結合した後、制御基板側のコネクタに対し、上ケースの開口部を通してケーブル側のコネクタを接続し、このコネクタ同士を覆ってコネクタカバーを装着するとこのコネクタカバーは、その係合部が上ケース又は制御基板に係合して収納空間側からでないと解除できなくなるので、コネクタカバーを外して制御基板側のコネクタに不正な機器を接続することなどの不正行為を防止することができる。
【００１０】
一方、コネクタカバーを装着した後コネクタの抜き差しが必要になるときは制御基板のメンテナンス時などで基板ケースを開放するときでもあることから、基板ケースの上ケースと下ケースとを結合する結合部、その周辺又は締結具を破壊して基板ケースを開放した後、この基板ケースの収容空間側からコネクタカバーの係合状態を解除することにより、コネクタカバーを容易に取り外すことができる。
【００１１】
請求項２に係る発明は、請求項１記載の遊技機用基板ケースにおいて、上記係合部の係合状態を、係合部を破壊することなく収容空間側から解除可能に設ける構成にする。この構成では、コネクタカバーの取り外し時に係合部を破壊することなく、その係合状態を収容空間側から解除することができるので、コネクタカバーの取り替えを必要とせず、その分コストの低廉化及び利便性の向上が図られる。
【００１２】
請求項３ないし請求項７に係る発明は、いずれも請求項２記載の遊技機用基板ケースにおいて、コネクタカバー及びその係合部のより具体的な形態を提供するものである。
【００１３】
すなわち、請求項３に係る発明は、上記係合部を、コネクタカバーの長手方向両側に一対設け、かつそれぞれ制御基板に設けた挿入孔に挿入して係合するように内向き又は外向きに突出した形状に形成する構成にする。この構成では、基板ケースの開放時にコネクタカバーによって制御基板が係合保持された状態で外されるため、その分制御基板からＲＯＭなどを取り外すのに時間を要することになり、不正行為の防止化をより図ることができる。
【００１４】
請求項４に係る発明は、上記係合部を、コネクタカバーの長手方向両側に一対設け、かつそれぞれ制御基板の縁部に係合するように内向きに突出した形状に形成する構成にする。この構成では、制御基板に挿入孔を設けることなく、制御基板にコネクタカバーを係合保持させることができ、また、その係合解除に内側から外側への力を必要とするため、外側から無理に解除することができず、不正行為の防止化をより図ることができる。
【００１５】
請求項５に係る発明は、上記コネクタカバーの両端部に、それぞれ外向きの水平なフランジ部を形成する一方、上記上ケースの開口部周辺に、この各フランジ部が摺動可能に嵌合する一対のガイド溝を設けて、このガイド溝の案内の下にコネクタカバーが開口部を覆う被覆位置と開口部を開放する開放位置との間を摺動可能な構成にし、また、上記係合部を、このコネクタカバーの各フランジ部に１つずつ設け、かつコネクタカバーが被覆位置に摺動したとき上ケースに設けた陥入孔に陥入して係合するように下向きに突出した形状に形成する構成にする。この構成では、コネクタカバーの各フランジ部に設けた係合部は、上ケースに設けたガイド溝の壁部などにより遮蔽されるため、外部から係合部に全く触ることができず、不正な開放を確実に防止することができる。
【００１６】
請求項６に係る発明は、上記コネクタカバーを、その長手方向長さが上ケースの開口部のそれよりも大きく形成し、上記係合部を、このコネクタカバーの長手方向両側に一対設け、かつそれぞれ上ケースの開口部近傍に設けた挿入孔に挿入して係合するように内向き又は外向きに突出した形状に形成する構成にする。この構成では、コネクタカバーによって開口部が完全に遮蔽されるため、隙間からの不正な行為を防止することができる。
【００１７】
請求項７に係る発明は、請求項１ないし請求項６記載の遊技機用基板ケースにおいて、上記係合部の周囲に、係合部が撓み易くなるための溝などよりなる可撓性部を形成するとともに、この可撓性部を外部から撓めるのを阻止するために、外部から保護するカバー部を形成する構成にする。この構成では、基板ケースの収納空間側からはコネクタカバーの係合部がその周囲に形成した可撓性部によって撓み易く、係合部の係合状態も解除し易くなっているため、メンテナンス時などでのコネクタカバーの取り外しを容易に行うことができる。しかも、上記可撓性部ないし係合部は、その周囲に形成したカバー部によってコネクタカバーの外側から撓められない構造になっているため、コネクタカバーが不正に取り外されるのを防止することができる。
【００１８】
また、上記第１の課題を解決するため、請求項８に係る発明は、遊技機用基板ケースとして、上ケースと下ケースとによりコネクタが実装された制御基板を収納する収納空間が構成されており、上記上ケースの周縁部には上ケースと下ケースとを結合するための複数の結合部が結合され、一回の結合時にはその中の少なくとも１つの結合部で締結具により結合し、かつその結合部、結合部の周辺又は締結具を破壊しない限り分離不能にするように構成されており、上記上ケースには制御基板側のコネクタに対向して開口部が設けられ、この開口部を通してケーブル側のコネクタが制御基板側のコネクタに接続されるように構成されてなることを前提とする。そして、上記ケーブル側のコネクタに、上ケース又は制御基板に係合する係合部を設け、この係合部を、上記収納空間側からのみ係合状態を解除可能に形成する構成にする。
【００１９】
この構成では、基板ケースの収納空間に制御基板を収納して上ケースと下ケースとを少なくとも１つの結合部で分離不能に結合した後、制御基板側のコネクタに対し、上ケースの開口部を通してケーブル側のコネクタを接続するとケーブル側のコネクタは、その係合部が上ケース又は制御基板に係合して収納空間側からでないと解除できなくなるので、制御基板側のコネクタに不正な機器を接続することなどの不正行為を防止することができる。
【００２０】
一方、ケーブル側のコネクタを制御基板側のコネクタに接続した後コネクタの抜き差しが必要になるときは制御基板のメンテナンス時などで基板ケースを開放するときでもあることから、基板ケースの上ケースと下ケースとを結合する結合部、その周辺又は締結具を破壊して基板ケースを開放した後、この基板ケースの収納空間側からケーブル側のコネクタの係合状態を解除することにより、ケーブル側のコネクタを容易に抜き取ることができる。
【００２１】
さらに、上記第２の課題を解決するため、請求項９に係る発明は、請求項１ないし請求項８のいずれか一つに記載の遊技機用基板ケースと、この基板ケース内に収納された制御基板側のコネクタにケーブルを介して接続されかつ所定の箇所に取り付けられた他の基板とを備えた遊技機において、上記他の基板に実装されたコネクタを含めて基板の取付面と反対側の表面全体を覆う基板カバーを備え、この基板カバーは、その配置箇所に分離不能に固定するための固定部と、この固定部を他の部位から切断し易くするための脆弱部とを有する構成にする。
【００２２】
この構成では、基板ケース内に収納された制御基板側のコネクタにケーブルを介して接続された他の基板が専用のケース内に収納することなく取り付けられている場合でも、この他の基板に実装されたコネクタを含めて基板の取付面と反対側の表面全体が基板カバーによって覆われており、またこの基板カバーは、その配置箇所に固定部で分離不能に固定されているため、他の基板に接続されたケーブルを外して制御基板に不正な信号を入力することなどの不正行為を防止することができる。一方、他の基板のメンテナンス時などには基板カバーの脆弱部を切断して固定部を他の部位から切り離すことで基板カバーを取り外すことができる。
【発明の効果】
【００２３】
以上のように、本発明の遊技機用基板ケースによれば、コネクタカバーを装着し又はケーブル側のコネクタを制御基板側のコネクタに接続したときにはコネクタカバー又はケーブル側のコネクタに設けた係合部が上ケース又は制御基板に係合して収納空間側からでないと解除できなくなるので、制御基板側のコネクタに不正な機器を接続することなどの不正行為を防止することができる。しかも、コネクタの抜き差しが必要になるときは制御基板のメンテナンス時などで基板ケースを開放するときでもあることから、基板ケースの上ケースと下ケースとを結合する結合部、その周辺又は締結具を破壊して基板ケースを開放した後、この基板ケースの内側からコネクタカバー又はケーブル側のコネクタの係合状態を解除することにより、コネクタカバーの取り外し又はコネクタの抜き取りを容易に行うことができるので、メンテナンス作業などに支障を来すことはなく、実施化を図る上で有効なものである。
【００２４】
特に、請求項２に係る発明では、コネクタカバーの取り外し時に係合部を破壊することなく、その係合状態を収容空間側から解除することができるので、コネクタカバーの取り替えを必要とせず、その分コストの低廉化及び利便性の向上を図ることができる。
【００２５】
請求項３に係る発明では、基板ケースの開放時にコネクタカバーによって制御基板が係合保持された状態で外されるため、その分制御基板からＲＯＭなどを取り外すのに時間を要することになり、不正行為の防止化をより図ることができる。
【００２６】
請求項４に係る発明では、制御基板に挿入孔を設けることなく、制御基板にコネクタカバーを係合保持させることができ、また、その係合解除に内側から外側への力を必要とするため、外側から無理に解除することができず、不正行為の防止化をより図ることができ、実施化を図る上で非常に有利なものである。
【００２７】
請求項５に係る発明では、コネクタカバーの各フランジ部に設けた係合部は、上ケースに設けたガイド溝の壁部などにより遮蔽されるため、外部から係合部に全く触ることができず、不正な開放を確実に防止することができ、不正行為の防止化をより図ることができる。
【００２８】
請求項６に係る発明では、コネクタカバーによって開口部が完全に遮蔽されるため、隙間からの不正な行為を防止することができ、不正行為の防止化をより図ることができる。
【００２９】
請求項７に係る発明では、基板ケースの収納空間側からはコネクタカバーの係合部がその周囲に形成した可撓性部によって撓み易く、係合部の係合状態も解除し易くなっているため、メンテナンス時などでのコネクタカバーの取り外しを容易に行うことができる。しかも、上記可撓性部ないし係合部は、その周囲に形成したカバー部によってコネクタカバーの外側から撓められない構造になっているため、コネクタカバーが不正に取り外されるのを防止することができ、不正行為の防止化をより図ることができる。
【００３０】
また、本発明の遊技機によれば、上述した基板ケース内に収容された制御基板側のコネクタとケーブルを介して接続された他の基板において、その取付面と反対側の表面全体が基板カバーによって覆われ、かつ基板カバーは、その配置箇所に固定部で分離不能に固定されているため、他の基板に接続されたケーブルを外して制御基板に不正な信号を入力することなどの不正行為を防止することができるので、基板ケース側での不正行為の防止構造と相俟って不正行為の防止効果を確実に高めることができる。しかも、他の基板のメンテナンス時などには基板カバーの脆弱部を切断して固定部を他の部位から切り離すことで基板カバーを取り外すことができるので、メンテナンス作業に支障を来すことなく、実施化を容易に図ることができるという効果を併有する。
【発明を実施するための最良の形態】
【００３１】
以下、本発明を実施するための最良の形態である実施形態を図面に基づいて説明する。
【００３２】
図１ないし図３は本発明の一実施形態に係る遊技機としてのスロットマシンを示し、１はスロットマシンの遊技面である前面部を構成する前扉であって、この前扉１は、筐体２の前方開口部に正面側から向かって左側をヒンジ側として開閉可能に取り付けられている。
【００３３】
上記前扉１の上部には上部ランプ３、液晶表示部４及び左右２つのスピーカ５ａ，５ｂが設けられているとともに、前扉１の中央部には中央パネル６及び中央操作部７が設けられている。液晶表示部４は、遊技の進行に応じてキャラクターなどを画面上に表示して遊技演出を行うようになっている。中央パネル６は、アクリル板のような透明な合成樹脂板や強化ガラス板などの裏面にシルクスクリーン印刷により絵柄や模様などを施してなり、この中央パネル６には、シルクスクリーン印刷を施さず透明なままの部分である矩形状のリール表示窓８が形成されている。また、中央操作部７にはメダル投入口１１、スタートレバー１２、３つの停止スイッチ１３，１３，１３及びマックスベットスイッチ１４などが設けられており、中央操作部７よりも下側の前扉１の下部には下部パネル１６、メダル払出口１７及びメダル受け皿１８が設けられている。
【００３４】
上記筐体２内には、図２に示すように、前扉１のリール表示窓８に対向してリール装置２１が配置されている。このリール装置２１は、各々独自に回転する横並び３つの回転リール２２ａ，２２ｂ，２２ｃを有しており、これらの回転リール２２ａ〜２２ｃの外周面にはそれぞれ複数の図柄（図示せず）が施され、前扉１を閉じた状態で各回転リール２２ａ〜２２ｃ毎３つずつ計９つの図柄が前扉１のリール表示窓８を通して外部に見えるようになっている。また、筐体２内のリール装置２１上側には、スロットマシンの主制御基板４５（図６及び図７参照）を収容する主基板ケース２３が取付プレート２４を介在して筐体２の背面部に固定して配置されているとともに、筐体２内のリール装置２１右側には内部中継基板２５が筐体２の側壁部に固定して配置されており、筐体２内のリール装置２１下側にはホッパー装置２６及び電源ユニット２７などが配置されている。
【００３５】
一方、上記前扉１の裏面側には、図３に示すように、液晶表示部４及びスピーカ５ａ，５ｂなどを制御する副制御基板（図示せず）を収容する副基板ケース３１が取り付けられているとともに、中央パネル６のリール表示窓８周辺で各種の報知を行う報知器（図示せず）を装着するための内枠パネル３２が取り付けられており、この内枠パネル３２の下部には更にその上から扉中継基板３３が取り付けられている。副基板ケース３１内の副制御基板及び扉中継基板３３は、それぞれ別々のケーブル（扉中継基板３３の場合、図１３中の符号８１）を介して上記主基板ケース２３内の主制御基板４５に接続されている。また、前扉１の裏面側には、各停止スイッチ１３に接続した停止スイッチ基板３４が取り付けられているとともに、メダル投入口１１から投入されたメダルを選別するためのセレクター３５及びメダル払出通路３６などが取り付けられている。
【００３６】
ここで、図示していないが、上記主制御基板４５には、スロットマシンの遊技動作を司る中央演算処理装置（ＣＰＵ）、遊技動作に関する情報を記憶した読み出し専用記憶装置としてのＲＯＭ４９（図６参照）などが実装されている。そして、スロットマシンは、スタートレバー１２の操作が行われたことに応じて、上記ＣＰＵで抽選を行うとともに、回転リール２２ａ〜２２ｃを一斉に回転させる。その後、各停止スイッチ１３の操作に応じて、対応する回転リール２２ａ〜２２ｃを、上記抽選の結果と、各停止スイッチ１３の操作のタイミングとに応じて、所定の駒数以内にて停止させるように構成されており、また、所定の入賞図柄の組み合わせがリール表示窓８の有効入賞ライン上に停止したとき、所定枚数の遊技媒体としてのメダルを払出口１７から払い出すようになっている。上記主制御基板４５は、スタートレバー１２の信号を受けて各回転リール２２ａ〜２２ｃの回転を指令する信号を出力し、また、入賞が成立したことを判定した後所定枚数のメダルの払出を指令する信号を出力することによって、遊技動作を実現している。この主制御基板４５には、上述した各信号の入出力のため、あるいは主制御基板４５に電源を供給するためのコネクタが複数設けられている。
【００３７】
本発明の遊技機用基板ケースは、本実施形態の場合、上記主基板ケース２３に適用したものであり、この主基板ケース２３の第１の実施形態としての具体的な構造を、図４ないし図１２を用いて以下に説明する。
【００３８】
すなわち、上記主基板ケース２３は、図４ないし図７に示すように、上ケース４１と下ケース４２とにより収容空間としての矩形箱型のケース本体４３を構成し、このケース本体４３内に、ＲＯＭ４９やコネクタ４４ａ，４４ｂ，４４ｃ，４４ｄなどの電子部品を実装した主制御基板４５を収容するものである。下ケース４２の下面には、主基板ケース２３を筐体２の背面部の取付プレート２４に取り付けるための取付部材２８が固定されている。
【００３９】
上記上ケース４１及び下ケース４２は、共に透明又は半透明なアクリル樹脂などの合成樹脂からなり、下ケース４２の互いに対向する２つの短辺のうち、一方の短辺には外方に延出する係合突起部４６が形成され、この係合突起部４６は、上ケース４１の対応する短辺に設けたスリット５０内に挿通されて、係合突起部４６をヒンジ点として上ケース４１が下ケース４２に対し開閉されるようになっている。また、上ケース４１の開閉ヒンジ点と反対側の短辺には、上ケース４１と下ケース４２とを結合するための２つの第１の結合部４７ａ，４７ａと、上ケース４１を取付部材２８を介して取付プレート２４に結合するための４つの第２の結合部４７ｂ，４７ｂ，…とが短辺に沿って横並びに形成されており、２つの第１の結合部４７ａ，４７ａは、図示するように、４つの第２の結合部４７ｂ，４７ｂ，…を間に挟むように設けられている。そして、一回の結合時には、少なくとも１つの第１の結合部４７ａで締結具４８により上ケース４１と下ケース４２とが分離不能に結合され、また、一回のケース取付時には、少なくとも１つの第２の結合部４７ｂで締結具４８により上ケース４１と取付部材２８とが分離不能に結合される。
【００４０】
また、上記係合突起部４６は、スリット５０の壁部の厚さよりも長く形成されており、上下ケース４１，４２の結合時には、図５に示す如く外側に向かって突出するようになっている。そして、主基板ケース２３を取付プレート２４に取り付ける際には、この係合突起部４６を取付プレート２４の前扉ヒンジ側の端部に設けた挿通孔（図示せず）に差し込み、ネジ孔５６の部分を取付プレート２４に通常のネジにより固定することによって取り付けられるようになっている。
【００４１】
上記締結具４８は、上ケース４１及び下ケース４２と同じくアクリル樹脂などの合成樹脂からなるもので、図８に拡大詳示するように、先端に第１の係合爪５１を有するピン部５２と、このピン部５２の基端側の外周を囲繞する円筒状の頭部５３と、この頭部５３とピン部５２の基端とをピン部５２の軸線を挟む２個所でそれぞれ連結する連結部５４，５４とを備えてなる。第１の係合爪５１は、ピン部５２の先端に形成した逆Ｕ字状の溝５５を挟んだ両側の部位に形成されていて、下ケース４２の後述する係止穴６５に挿入される時弾性変形して挿入され易くなっている。頭部５３の外周面には、その軸線方向の中央部でかつ軸線を挟む２個所にそれぞれ第２の係合爪５７が形成されているとともに、軸線方向の先端側でかつ円周方向に位相が各第２の係合爪５７と９０度異なる２個所にそれぞれ第３の係合爪５８が形成されている。各第２の係合爪５７は、その周囲の三方つまり左右両側と先端側とに形成したコ字形の切り欠き溝５９により弾性変形可能になっており、また各第３の係合爪５８も、その左右両側に形成した切り欠き溝６０，６０により弾性変形可能になっている。各連結部５４は、全長に亘って狭小で脆弱に形成されており、特に、頭部５３寄りの部位に幅寸法が他の部位よりも小さい脆弱部５４ａを有している。
【００４２】
一方、上記第１及び第２の各結合部４７ａ，４７ｂは、図９及び図１０に詳示するように、それぞれ締結具４８の頭部５３が嵌合可能な底部４７ｃを有する円筒状に形成されており、その深さは締結具４８の頭部５３の軸線方向の長さ寸法と略同一に設定されている。この各結合部４７ａ，４７ｂの内周面には、第２の結合部４７ｂの場合、図１０に示すように、開口寄りの軸線を挟む２個所にそれぞれ、締結具４８の頭部５３が結合部４７ｂ内に浅く嵌合する仮止め状態のとき上記各第３の係合爪５８が係合する仮止め用の係止凹部６１が形成されているとともに、深さ方向の中央部でかつ円周方向に位相が各仮止め用の係止凹部６１と９０度異なる２個所にそれぞれ、図１１（ａ）に示す如く締結具４８の頭部５３が結合部４７ｂ内に嵌合した結合状態のとき上記各第２の係合爪５７が係合する結合用の係止凹部６２が形成されている。また、各結合部４７ａ，４７ｂの底部４７ｃには、上記結合状態のとき締結具４８のピン部５２が貫通する貫通孔６３が設けられている。
【００４３】
上記下ケース４２及び取付部材２８には、取付部材２８の場合、図１０及び図１１に示すように、上ケース４１の各結合部４７ａ，４７ｂに対応して、それぞれ締結受け部６４が設けられている。この締結受け部６４は、取付プレート２４上に支持された台座形のもので、締結受け部６４の中心には、締結具４８の頭部５３が結合部４７ａ，４７ｂ内に嵌合したときそのピン部５２先端の第１の係合爪５１が抜け止め状態に係合する係止穴６５が設けられており、これにより、上ケース４１の結合部４７ａ，４７ｂと下ケース４２又は取付部材２８の締結受け部６４との間で両ケース４１，４２又は上ケース４１と取付部材２８が締結具４８によって分離不能に結合される。この結合状態を解除して両ケース４１，４２又は上ケース４１と取付部材２８を開放するときには、締結具４８の２つの連結部５４，５４の各脆弱部５４ａを共にニッパなどで切断すると、図１１（ｂ）に示すように、締結具４８の頭部５３は上ケース４１の結合部４７ａ，４７ｂ内に嵌合した状態のまま残り、締結具４８のピン部５２のみが上ケース４１の結合部４７ａ，４７ｂの貫通孔６３から下ケース４１又は取付部材２８の締結受け部６４に抜け落ちて結合状態が解除されるようになっている。
【００４４】
さらに、図４ないし図６に示すように、上記上ケース４１は、その長手方向の両端部分が中央部よりも一段低く形成されており、この上ケース４１の長手方向両端部分には主制御基板４５に実装された各コネクタ４４ａ〜４４ｄに対向して複数（図では４つ）の開口部６６，６７，６８，６９が設けられ、これらの開口部６６〜６９を通してそれぞれ主制御基板４５側の各コネクタ４４ａ〜４４ｄに対しケーブル側のコネクタ（図示せず）が接続される。ここで、主制御基板４５側のコネクタ４４ａ〜４４ｄのうち、コネクタ４４ａは、前扉１裏面側の扉中継基板３３にケーブル８１を介して接続されるものであり、主基板ケース２３の取付時にはこのコネクタ４４ａが筐体２内部の前扉ヒンジ側側壁部に近接するようになっている（図２参照）。また、コネクタ４４ｂは、前扉１裏面側の副基板ケース３１内に収納された副制御基板にケーブル（図示せず）を介して接続されるものであり、コネクタ４４ｃは、筐体２内の電源ユニット２７にケーブル（図示せず）を介して接続されるものであり、コネクタ４４ｄは、筐体２内の内部中継基板２５にケーブル８２を介して接続されるものである。
【００４５】
そして、上記主制御基板４５側のコネクタ４４ａ及びコネクタ４４ｄには、それぞれそのコネクタ４４ａ，４４ｄとそれに接続されるケーブル側のコネクタとを共に覆うコネクタカバー７１，７２が装着されている。この両コネクタカバー７１，７２は、共にアクリル樹脂などの透明又は半透明な合成樹脂からなり、コネクタカバー７１の内側側面には、コネクタ４４ａに接続されたケーブル８１を外部に導出させるための切り欠き部７３が形成されている一方、コネクタカバー７２の外側側面にも、同様にコネクタ４４ｄに接続されたケーブル８２を外部に導出させるための切り欠き部７４が形成されている。
【００４６】
上記コネクタカバー７１は、図６及び図７に示し、また図１２に詳示するように、その開口面積が上ケース４１の開口部６６のそれよりも一回り大きく形成されており、このコネクタカバー７１の長手方向両側には、コネクタカバー７１を開口部６６に装着したとき、それぞれ上ケース４１の開口部６６近傍に設けた挿入孔７５と主制御基板４５に設けた挿入孔７６とに挿入して主制御基板４５の挿入孔７６に係合するように前方に延出しかつ内向き又は外向きに突出した一対の矢尻形の係合部７７，７７が形成されており、この各係合部７７は、上ケース４１と下ケース４２との結合を解除してケース本体４３の内側である主制御基板４５の裏側からのみ係合状態を解除可能に設けられており、各係合部７７の係合状態は、係合部７７を破壊することなく主制御基板４５の裏面側から係合部７７を弾性変形により撓ませた状態でコネクタカバー７１を引く抜くことで解除可能に設けられている。
【００４７】
また、上記コネクタカバー７２は、図６及び図７に示すように、コネクタカバー７１の場合と同様に、その開口面積が上ケース４１の開口部６９のそれよりも一回り大きく形成されており、このコネクタカバー７２の長手方向両側には、コネクタカバー７２を開口部６９に装着したとき、それぞれ上ケース４１の開口部６９近傍に設けた挿入孔７８と主制御基板４５に設けた挿入孔７９とに挿入して主制御基板４５の挿入孔７９に係合するように前方に延出しかつ内向き又は外向きに突出した一対の矢尻形の係合部８０が形成されており、この各係合部８０は、上ケース４１と下ケース４２との結合を解除して主制御基板４５の裏側からのみ係合状態を解除可能に設けられており、各係合部８０の係合状態は、係合部８０を破壊することなく主制御基板４５の裏面側から係合部８０を弾性変形により撓ませた状態でコネクタカバー７２を引き抜くことで解除可能に設けられている。
【００４８】
一方、上記主制御基板４５側のコネクタ４４ａにケーブル８１を介して接続された前扉１裏面側の扉中継基板３３は、通常、専用のケース内に収容することなく露出した状態で内枠パネル３２の下部上に取り付けられるが、本実施形態の場合、図１３に拡大詳示するように、この扉中継基板３３に実装されたコネクタ８３ａ，８３ｂ，８３ｃを含めて扉中継基板３３の取付面と反対側の表面全体を覆う基板カバー８４が装備されている。ここで、扉中継基板３３に実装されたコネクタ８３ａ〜８３ｃのうち、コネクタ８３ａは、上述した主制御基板４５にケーブル８１を介して接続されるものであり、コネクタ８３ｂは、前扉１裏面側の停止スイッチ基板３４にケーブル８５を介して接続されるものであり、コネクタ８３ｃは、同じく前扉１裏面側のセレクター３５にケーブル８６を介して接続されるものである。
【００４９】
上記基板カバー８４は、図１４及び図１５にも示すように、扉中継基板３３と対向する略横長矩形状の平面部８４ａの略全周縁に亘ってフランジ部８４ｂが形成されてなり、扉中継基板３３側のコネクタ８３ａ〜８３ｃに対応する部位では、フランジ部８４ｂに切り欠き部８５，８６が設けられて、ケーブル８１，８５，８６の配線を確保するようになっており、コネクタ８３ａに対応する部位では、コネクタ８３ａ全体を覆うように平面部８４ａの縁部を下方に延ばして庇部８７が形成されている。上記コネクタ８３ａ〜８３ｃは、切り欠き部８５，８６の幅寸法を狭く設定することにより、基板カバー８４で覆われた状態ではケーブル８１，８５，８６側のコネクタとの脱着が不能になっている。また、基板カバー８４は、内枠パネル３２に対し、上縁側の左右２箇所でそれぞれ通常のネジ８８により固定されているとともに、下縁側の左右２箇所にそれぞれフランジ部８４ｂより下方に突出して形成した固定部８９でワンウエイネジ９０により固定されている。
【００５０】
上記固定部８９は、図１６に拡大詳示するように、ワンウエイネジ９０が挿入可能な段付き孔９１を有する円筒状のものであり、この固定部８９と基板カバー８４のフランジ部８４ｂとの間には両者を連結しかつ固定部８９を基板カバー８４から切断し易くするための一対の狭小な連結部である脆弱部９２，９２が形成されている。また、固定部８９には、この一対の脆弱部９２，９２に挟まれた部位にスリット９３が設けられているとともに、段付き孔９１の大径孔部の内面には、ワンウエイネジ９０の頭部と滑り難くするための一対の鋸刃状の滑り止め部９４，９４が形成されている。
【００５１】
上記ワンウエイネジ９０は、図１７に詳示するように、頭部９０ａのスクリュードライバーと係合する係合溝９０ｂの形状に特徴があるもので、スクリュードライバーでは締め付け方向にのみ操作可能に設けられている。つまり、係合溝９０ｂの壁面のうち、スクリュードライバーによる締め付け時にそのスクリュードライバーと当接する壁面９０ｃ，９０ｃは溝底面９０ｄと略直角に交差しているが、締め付けを緩める時にスクリュードライバーと当接する壁面９０ｅ，９０ｅは溝底面９０ｄと斜めに傾斜している。従って、このワンウエイネジ９０により固定部８９ひいては基板カバー８４を一旦固定すると一対の脆弱部９２，９２を共に切断しない限り基板カバー８４は分離不能になる。
【００５２】
次に、上記実施形態の作用効果、特に、スロットマシンの筐体２内に装備される主基板ケース２３の作用効果を説明するに、この主基板ケース２３内に主制御基板４５を収納して主基板ケース２３の上ケース４１と下ケース４２とを少なくとも１つの第１の結合部４７ａで締結具４８により分離不能に結合した後、主制御基板４５のコネクタ４４ａ，４４ｄに対し、それぞれ上ケース４１の開口部６６，６９を通してケーブル側のコネクタを接続し、この両コネクタを覆ってコネクタカバー７１，７２を装着するとこの各コネクタカバー７１，７２は、その長手方向両側に設けた係合部７７，７７又は８０，８０がそれぞれ主制御基板４５に設けた挿入孔７６，７６又は７９，７９に挿入して係合するようになり、この係合状態は、上ケース４１と下ケース４２との結合を解除して主制御基板４５の裏側からでないと解除できなくなる。このため、不正な遊技者などがコネクタカバー７１，７２を外して主制御基板４５側のコネクタ４４ａ，４４ｄに不正な機器を接続することは容易ではなく、その分不正行為を防止することができる。また、仮に締結具４８の脆弱部５４ａをニッパなどで切断することにより、上ケース４１と下ケース４２との結合を解除してコネクタカバー７１，７２を取り外した場合にはその解除の痕跡が残ることからも不正行為を予防ないし防止することができる。
【００５３】
一方、コネクタカバー７１，７２を装着した後コネクタ４４ａ，４４ｄの抜き差しが必要になるときは主制御基板４５のメンテナンス時や検査時などで主基板ケース２３を開放するときでもあることから、上述の如く主基板ケース２３の上ケース４１と下ケース４２との結合を解除して主基板ケース２３を開放した後、この主基板ケース２３の内側である主制御基板４５の裏側から各コネクタカバー７１，７２の係合部７７，８０と主制御基板４５の挿入孔７６，７９との係合状態を解除することにより、各コネクタカバー７１，７２を容易に取り外すことができるので、メンテナンス作業などに支障を来すことはない。
【００５４】
特に、本実施形態の場合、主基板ケース２３の開放時には、締結具４８による結合を解除した後、下ケース４２の係合突起部４６を上ケース４１のスリット５０から引き抜く方向に下ケース４２を上ケース４１に対しスライドさせることにより、下ケース４２を外すことができるが、このとき、主制御基板４５は、図７に示す如くＲＯＭ４９などの実装面を上ケース４２に向けた状態でコネクタカバー７１，７２によって上ケース４１と一体に保持されている。このため、主制御基板４５からＲＯＭ４９などを取り外すのに時間を要することになり、不正行為の防止化をより図ることができる上、メンテナンス時などに下ケース４２を不用意に外した場合でも主制御基板４５が落下してしまう虞が少なくなり、安全性を高めることができる。
【００５５】
また、図７に示す状態から、各コネクタカバー７１，７２の係合部７７，８０を主制御基板４５から外すと、図６に示すように、主制御基板４５を取り外すことができる。このように、コネクタカバー７１，７２の取り外し時にその係合部７７，８０を破壊することなく、係合状態を解除することができるので、コネクタカバー７１，７２の取り替えを必要とせず、その分コストの低廉化及び利便性の向上を図ることができる。
【００５６】
さらに、上記主基板ケース２３内に収納された主制御基板４５側のコネクタ４４ａにケーブル８１を介して接続されかつ専用のケース内に収納することなく露出した状態で前扉１裏面側に取り付けられた扉中継基板３３は、上記ケーブル８１と接続されるコネクタ８３ａを含めて扉中継基板３３の取付面と反対側の表面全体が基板カバー８４によって覆われており、またこの基板カバー８４は、その下縁側の２箇所にそれぞれ形成した固定部８９でワンウエイネジ９０により分離不能に固定されているため、扉中継基板３３側のコネクタ８３ａに接続されたケーブル８１を外した上このケーブル８１を利用して主制御基板４５に不正な信号を入力するなどの不正行為を防止することができる。この結果、上述した主基板ケース２３側での不正行為の防止構造と相俟って不正行為の防止効果を確実に高めることができる。
【００５７】
その上、上記扉中継基板３３のメンテナンス時などには、基板カバー８４の各固定部８９においてその固定部８９と基板カバー８４のフランジ部８４ｂとを連結する一対の脆弱部９２，９２をニッパなどで切断して固定部８９を基板カバー８４から切り離すことにより、基板カバー８４を取り外すことができるので、メンテナンス作業に支障を来すことはなく、実施化を容易に図ることができる。また、基板カバー８４を取り外した後新しい基板カバー８４を取り付けるに当たっては、前扉１裏面側の内枠パネル３２上に残った固定部８９をワンウエイネジ９０と共に取り外す必要があるが、固定部８９にスリット９３が設けられているとともに、固定部８９の段付き孔９１の大径孔部内面に一対の鋸刃状の滑り止め部９４，９４が形成されているため、ラジオペンチなどで固定部８９の外周側からワンウエイネジ９０を挟んで回す際に上記各滑り止め部９４がワンウエイネジ９０の頭部９０ａに食い込んでワンウエイネジ９０をも容易に回すことができ、この点からも実施化を図る上で有利なものである。
【００５８】
図１８は本発明の第２の実施形態に係る遊技機用基板ケースとして、第１の実施形態の場合と同じくスロットマシンの主制御基板４５を収納する主基板ケース２３の変形例、特に主制御基板４５に実装されたコネクタ４４ａとこれに接続されるケーブル側のコネクタ（図示せず）とを覆って装着されるコネクタカバー１０１の変形例を示すものである。
【００５９】
すなわち、上記コネクタカバー１０１は、第１の実施形態におけるコネクタカバー７１と同じく、その開口面積が上ケース４１の開口部６６のそれによりも一回り大きく形成されており、また、このコネクタカバー７１の長手方向両側にはそれぞれ前方に延出しかつ内向きに突出した一対の矢尻形の係合部１０２，１０２が形成されているが、この各係合部１０２は、コネクタカバー１０１を開口部６６に装着したとき、それぞれ上ケース４１の開口部６６近傍に設けた挿入孔７５に挿入した後主制御基板４５の縁部に係合し、かつその係合状態は上ケース４１と下ケース４２との結合を解除してケース本体４３の内側である主制御基板４５の裏側からのみ解除可能に設けられており、各係合部１０２の係合状態は、係合部１０２を破壊することなく主制御基板４５の裏面側から係合部１０２を弾性変形により撓ませた状態でコネクタカバー１０１を引き抜くことで解除可能に設けられている。尚、主基板ケース２３のその他の構成は、第１の実施形態の場合と同じであり、同一部材には同一符号を付してその説明は省略する。
【００６０】
そして、上記第２の実施形態においては、第１の実施形態の場合と同様な作用効果を奏することができる上、第１の実施形態の如く主制御基板４５に、コネクタカバー１０１の係合部１０２を挿入して係合する挿入孔を設ける必要がないので、実施化を図る上で有利である。
【００６１】
図１９ないし図２３は本発明の第３の実施形態に係る遊技機用基板ケースとして、第１の実施形態の場合と同じくスロットマシンの主制御基板４５を収納する主基板ケース２３の変形例、特に主制御基板４５側のコネクタ４４ａなどを覆って装着されるコネクタカバー１１１などの変形例を示すものである。
【００６２】
すなわち、上記コネクタカバー１１１は、主基板ケース２３の上ケース４１の開口部６６を通して外部に突出する主制御基板４５側のコネクタ４４ａの上方及び周囲四方のうち内側側方を除く三方を覆うカバー本体１１１ａと、このカバー本体１１１ａの長手方向両側にそれぞれ外向きに形成された一対の水平なフランジ部１１１ｂ，１１１ｂとからなる。一方、主基板ケース２３の上ケース４１には、開口部６６をその長手方向に挟んだ両側に上記コネクタカバー１１１の各フランジ部１１１ｂが摺動可能に嵌合する一対のガイド溝１１２，１１２が設けられているとともに、開口部６６の内側側方に沿って垂直に立った垂直壁１１３が設けられている。そして、コネクタカバー１１１は、その各フランジ部１１１ｂがガイド溝１１２に嵌合してその案内の下に上ケース４１の開口部６６を覆う被覆位置と、各フランジ部１１１ｂがガイド溝１１２から上ケース４１側方に外れて上ケース４１の開口部６６を開放する開放位置との間を摺動可能に設けられており、被覆位置ではコネクタカバー１１１が上ケース４１の垂直壁１１３に当接し、この両者で主制御基板４５側のコネクタ４４ａ及びこれに接続されるケーブル側のコネクタを覆うようになっている。
【００６３】
また、上記コネクタカバー１１１のカバー本体１１１ａの外側側面には、コネクタ４４ａに接続されたケーブル８１を外部に導出させるための切り欠き部１１４が形成されているとともに、コネクタカバー１１１の各フランジ部１１１ｂにはそれぞれ、下向きに突出したフック状の係合部１１５と、この係合部１１５の周囲三方をコ字状に切り欠いた切り欠き溝１１６とが１つずつ設けられている。そして、コネクタカバー１１１が上述した被覆位置に摺動したとき上記各係合部１１５が上ケース４１に設けた陥入孔１１７に陥入して係合するようになっており、その係合状態は、主基板ケース２３の上ケース４１と下ケース４２との結合を解除して上ケース４１の内側からのみ解除可能に設けられており、各係合部１１５の係合状態は、係合部１１５を破壊することなく上ケース４１の内側から係合部１１５を弾性変形により撓ませた状態でコネクタカバー１１１を被覆位置から摺動することで解除可能に設けられている。
【００６４】
尚、主基板ケース２３のその他の構成は、第１の実施形態の場合と同じであり、同一部材には同一符号を付してその説明は省略する。
【００６５】
そして、上記第３の実施形態においては、コネクタカバー１１１が上ケース４１の開口部６６を覆う被覆位置に摺動したとき、このコネクタカバー１１１の両側のフランジ部１１１ｂ，１１１ｂに設けた一対の係合部１１５，１１５がそれぞれ上ケース４１の陥入孔１１７に陥入して係合するようになっており、この係合状態は、上ケース４１と下ケース４２との結合を解除して上ケース４１の内側からでないと解除できないため、第１の実施形態の場合と同様に、コネクタカバー１１１を外して主制御基板４５側のコネクタ４４ａに不正な機器を接続することなどの不正行為を防止することができる。
【００６６】
その上、上記コネクタカバー１１１は、被覆位置から開放位置に摺動するとき各フランジ部１１１ｂがガイド溝１１２から上ケース４１の側方に外れるようになっているが、図２に示すように、スロットマシンの筐体２の背面部に取り付けられた主基板ケース２３の上ケース４１のコネクタカバー１１１外れ側の側方は、筐体２の左側側壁部に近接しているため、主基板ケース２３を筐体２の背面部から取り外さなければコネクタカバー１１１を取り外すことができない。このため、上述したコネクタカバー１１１の係合部１１５による係合構造と相俟ってコネクタカバー１１１を不正に外すのを２重に防止することができ、不正行為の防止化をより図ることができる。
【００６７】
図２４ないし図２７は本発明の第４の実施形態に係る遊技機用基板ケースとして、第１の実施形態の場合と同じくスロットマシンの主制御基板４５を収納する主基板ケース２３の変形例、特に主制御基板４５側のコネクタ４４ａなどを覆って装着されるコネクタカバー１２１などの変形例を示すものである。
【００６８】
この第４の実施形態の場合、主制御基板４５側のコネクタイ４４ａは、その接続面を外向きにした横倒し状態で実装されており、主基板ケース２３の上ケース４１には、このコネクタ４４ａに対向して、側端面の下縁から切り欠いてなる開口部１２２が設けられているとともに、この開口部１２２を長手方向に挟む両側に一対の挿入孔１２３，１２３が設けられている。
【００６９】
一方、上記コネクタカバー１２１は、その開口面積、特に本実施形態の場合長手方向長さが上ケース４１の開口部１２２のそれよりも大きく形成されており、このコネクタカバー１２１の長手方向両側には、コネクタカバー１２１で上記主制御基板４５側のコネクタ４４ａ及びこれに接続されるケーブル８１側のコネクタ（図示せず）を覆って装着したとき、それぞれ上記挿入孔１２３に挿入して係合するように前方に延出しかつ内向き又は外向きに突出した一対の矢尻形の係合部１２４，１２４が形成されており、この各係合部１２４は、主基板ケース２３の上ケース４１と下ケース４２との結合を解除して上ケース４１の内側からのみ係合状態を解除可能に設けられており、各係合部１２４の係合状態は、係合部１２４を破壊することなく上ケース４１の内側から係合部１２４を弾性変形により撓ませた状態でコネクタカバー１２１を引き抜くことで解除可能に設けられている。
【００７０】
そして、上記第４の実施形態においても、コネクタカバー１２１で主制御基板４５側のコネクタ４４ａ及びこれに接続されるケーブル８１側のコネクタを覆って装着したとき、コネクタカバー１２１の長手方向両側に設けた一対の係合部１２４，１２４がそれぞれ上ケース４１の挿入孔１２３に挿入して係合するようになり、この係合状態は、上ケース４１と下ケース４２との結合を解除して上ケース４１の内側からでないと解除できなくなるので、第１の実施形態の場合と同様に不正行為を防止することができる。
【００７１】
また、上記コネクタカバー１２１は、上ケース４１の側端面の側方から装着され、あるいは側方に外されるようになっているが、第３の実施形態の場合に述べたように、スロットマシンの筐体２の背面部に取り付けられた主基板ケース２３の上ケース４１のコネクタカバー１２１外れ側の側方は、筐体２の左側側壁部に近接していることから、主基板ケース２３を筐体２の背面部から取り外さなければコネクタカバー１２１を取り外すことができず、不正行為の防止化をより図ることができるという効果を奏する。
【００７２】
図２８ないし図３３は本発明の第５の実施形態に係る遊技機用基板ケースとして、第１の実施形態の場合と同じくスロットマシンの主制御基板４５を収納する主基板ケース２３の変形例、特に主制御基板４５側のコネクタ４４ａなどを覆って装着されるコネクタカバー１３１などの変形例を示すものである。
【００７３】
この第５の実施形態の場合、主制御基板４５側のコネクタ４４ａは、第１の実施形態の場合と同じく、上ケース４１の開口部６６より外部に延出しており、このコネクタ４４ａの長手方向両側の爪部１３２，１３２は、それぞれ支軸１３３を中心に回動可能に設けられている。また、上ケース４１の開口部６６の長手方向両端近傍にはそれぞれ挿入孔１３４，１３４が設けられているが、この各挿入孔１３４は、第１の実施形態の場合の挿入孔７５と比べて開口部６６から若干離れた位置に設定されている。
【００７４】
一方、上記コネクタカバー１３１は、図３４ないし図３８にも示すように、上面部１３１ａの長手方向長さが上ケース４１の開口部６６の長手方向長さよりも小さく、開口縁１３１ｂの長手方向長さが上ケース４１の開口部６６の長手方向長さよりも大きくなるように、長手方向両端の短辺側壁部１３１ｃ，１３１ｃに互いに開口縁１３１ｂに向かって外向きに傾斜する傾斜面部１３１ｄ，１３１ｄを有している。このコネクタカバー１３１の各短辺側壁部１３１ｃには、コネクタカバー１３１で上記主制御基板４５側のコネクタ４４ａ及びこれに接続されるケーブル８１側のコネクタ（図示せず）を覆って装着したとき、それぞれ上記挿入孔１３４に挿入して係合するように開口縁１３１ｂより前方に延出しかつ内向きに突出した矢尻形の係合部１３５が形成されており、この係合部１３５の延出長さは、第１の実施形態の場合の係合部７７のそれよりも短く設定されている。これに伴い、コネクタカバー１３１の各短辺側壁部１３１ｃには、対応する係合部１３５が弾性変形により撓み易くなるための一対の可撓性部としての切り欠き溝１３６，１３６が形成されているとともに、この係合部１３５をコネクタカバー１３１の外側から撓めるのを阻止するためのカバー部１３７が形成されている。
【００７５】
また、上記コネクタカバー１３１の内側側面を構成する内側長辺側壁部１３１ｅにはコネクタ４４ａに接続されたケーブル８１を外部に導出させるための切り欠き部１３８が形成されているとともに、コネクタカバー１３１の内側には、切り欠き部１３８の両端２個所とそれより内側の２個所の計４個所にそれぞれ、内側長辺側壁部１３１ｅと上面部１３１ａと外側長辺側壁部１３１ｆとに連接するリブ部１３９ａ，１３９ｂ，１３９ｃ，１３９ｄが形成されている。この各リブ部１３９ａ〜１３９ｄは、いずれも主制御基板４５側のコネクタ４４ａ及びこれに接続されるケーブル８１側のコネクタに沿うような形状に形成されている。具体的には、図３８に示されているように、リブ１３９ａは、主制御基板４５側のコネクタ４４ａに当接する部位での幅寸法が大きく、かつケーブル８１側のコネクタに当接する部位での幅寸法がこれによりもやや小さい段付きの切り欠きを設けることで接続部分の断面形状に沿った形状になっている。また、切り欠き部１３８の内側２個所のリブ部１３９ｂ，１３９ｃは、上面部１３１ａから切り欠き部１３８の上縁位置にまで形成されている一方、切り欠き部１３８の両端２個所のリブ部１３９ａ，１３９ｄは、主制御基板４５側のコネクタ４４ａの爪部１３２との干渉を避けるように両長辺側壁部１３１ｅ，１３９ｆ間の中央部が内寄りに段差状でかつ上面部１３１ａから開口縁１３１ｂにまで形成されている。
【００７６】
そして、上記第５の実施形態においても、コネクタカバー１３１で主制御基板４５側のコネクタ４４ａ及びこれに接続されるケーブル８１側のコネクタを覆って装着したとき、コネクタカバー１３１の長手方向両端の短辺側壁部１３１ｃ，１３１ｃに設けた一対の係合部１３５，１３５がそれぞれ上ケース４１の挿入孔１３４に挿入して係合するようになり、この係合状態は、上ケース４１と下ケース４２との結合を解除して上ケース４１の内側からでないと解除できなくなるので、第１の実施形態の場合と同様に不正行為を防止することができる。
【００７７】
その上、上記コネクタカバー１３１は、その長手方向両端の短辺側壁部１３１ｃ，１３１ｃに互いに開口縁１３１ｂに向かって外向きに傾斜する傾斜面部１３１ｄ，１３１ｄを有しているため、主制御基板４５側のコネクタ４４ａの爪部１３２が僅かに開いている場合でもコネクタカバー１３１を装着するとその傾斜面部１３１ｄが爪部１３２に接触して爪部１３２が自動的に閉じられるようになり、主制御基板４５側のコネクタ４４ａとケーブル８１側のコネクタとの接続を確実に行うことができる。
【００７８】
また、上記コネクタカバー１３１の各係合部１３５は、それぞれ一対の切り欠き溝１３６，１３６によって撓み易くなっているため、コネクタカバー１３１の装着時における上ケース４１の挿入孔１３４への挿入係合及びメンテナンス時などにおける上ケース４１の内側からの係合解除を円滑に行うことができる。しかも、コネクタカバー１３１の各係合部１３５は、それぞれそれを覆うカバー部１３７によってコネクタカバー１３１の外側から撓めることができないので、不正行為の防止化を確実に図ることができる。
【００７９】
さらに、上記コネクタカバー１３１は、その長手方向両端の短辺側壁部１３１ｃ，１３１ｃによって主制御基板４５側のコネクタ４４ａの爪部１３２の開き回動を規制することができる上、コネクタカバー１３１の内側に設けた複数、本実施形態の場合４つのリブ部１３９ａ〜１３９ｄによって、コネクタカバー１３１の切り欠き部１３８から不正に針金などの部材を挿入してコネクタカバー１３１をこじ開けるなどの行為を防止することができ、また、この４つのリブ部１３９ａ〜１３９ｄにより、コネクタカバー１３１の各部位の剛性が高められているため、係合部１３５以外の部分を撓めることもできない。この結果、不正行為の防止化をより確実に図ることができるという効果を奏する。
【００８０】
図３９は本発明の第６の実施形態に係る遊技機用基板ケースとして、第１の実施形態の場合と同じくスロットマシンの主制御基板４５を収納する主基板ケース２３の変形例、特に主制御基板４５側のコネクタ４４ａなどを覆って装着されるコネクタカバー１４１などの変形例を示すものである。
【００８１】
この第６の実施形態の場合、主制御基板４５側のコネクタ４４ａは、第１及び第５の実施形態の場合と同じく、上ケース４１の開口部６６より外部に延出しており、このコネクタ４４ａの長手方向両側の爪部１４２，１４２は、それぞれ支軸１４３を中心に回動可能に設けられている。上ケース４１の開口部６６の長手方向両端近傍には、第１及び第５の実施形態の場合の如き挿入孔７５，１３４の代わりに、それぞれ鉛直上方に突出する外向きフック状の係合爪部１４４が設けられているとともに、図４０に詳示するように、この係合爪部１４４が弾性変形により撓み易くなるための外向きのコ字状の切り欠き溝１４５が設けられている。
【００８２】
一方、上記コネクタカバー１４１は、基本的には、第５の実施形態の場合のコネクタカバー１３１と同じく、上面部１４１ａの長手方向長さが上ケース４１の開口部６６の長手方向長さよりも小さく、開口縁の長手方向長さが上ケース４１の開口部６６の長手方向長さよりも大きくなるように、長手方向両端の短辺側壁部１４１ｃ，１４１ｃに互いに開口縁に向かって外向きに傾斜する傾斜面部１４１ｄ，１４１ｄを有している。また、コネクタカバー１４１の内側側面にはコネクタ４４ａに接続されたケーブルを外部に導出させるための切り欠き部（図示せず）が形成されているとともに、コネクタカバー１４１の内側には、上記切り欠き部の両端２個所とそれより内側の２個所の計４個所にそれぞれリブ部１４６ａ，１４６ｂ，１４６ｃ，１４６ｄが形成されており、これらのリブ部１４６ａ〜１４６ｄの形状などは、第５の実施形態の場合のリブ部１３９ａ〜１３９ｄのそれと同じになっている。コネクタカバー１４１の、第５の実施形態の場合のコネクタカバー１３１との相違点として、コネクタカバー１４１の各短辺側壁部１４１ｃに、コネクタカバー１４１で上記主制御基板４５側のコネクタ４４ａ及びこれに接続されるケーブル８１側のコネクタ（図示せず）を覆って装着したとき、それぞれ上記係合爪部１４４と係合する凹状ないし穴状の係合部１４７と、この係合部１４７を外側から覆うカバー部１４８とが形成されている。
【００８３】
そして、上記第６の実施形態においても、コネクタカバー１４１で主制御基板４５側のコネクタ４４ａ及びこれに接続されるケーブル８１側のコネクタを覆って装着したとき、コネクタカバー１４１の長手方向両端の短辺側壁部１４１ｃ，１４１ｃに設けた一対の凹状の係合部１４７，１４７がそれぞれ上ケース４１に設けた係合爪部１４４と係合するようになり、この係合状態は、上ケース４１と下ケース４２との結合を解除して上ケース４１の内側からでないと解除できなくなるので、第１の実施形態の場合と同様に不正行為を防止することができる。また、コネクタカバー１４１の構成は、第５の実施形態の場合のコネクタカバー１３１のそれと略同一であるため、第５の実施形態の場合と同様の作用効果を奏するのは言うまでもない。
【００８４】
図４１ないし図４３は本発明の第７の実施形態に係る遊技機用基板ケースとして、第１の実施形態の場合と同じくスロットマシンの主制御基板４５を収納する主基板ケース２３の変形例を示すものである。
【００８５】
この第７の実施形態の場合、主基板ケース２３は、基本的には第１の実施形態の場合と同じであるが、主基板ケース２３内に収容された主制御基板４５側のコネクタ４４ａ及びこれに接続されるケーブル８１側のコネクタ１５１を覆うためのコネクタカバーを備えていない。また、上記ケーブル８１側のコネクタ１５１の長手方向両側には、主制御基板４５側のコネクタ４４ａに接続したとき、それぞれ主制御基板４５に設けた挿入孔１５２に挿入して係合するように前方に延出しかつ内向き又は外向きに突出した一対の矢尻形の係合部１５３，１５３が形成されており、この各係合部１５３は、上ケース４１と下ケース４２との結合を解除して主制御基板４５の裏側からのみ係合状態を解除可能に設けられている。
【００８６】
そして、上記第７の実施形態においては、主基板ケース２３内に収容された主制御基板４５側のコネクタ４４ａに対し、上ケース４１の開口部６６を通してケーブル８１側のコネクタ１５１を接続するとケーブル８１側のコネクタ１５１は、その長手方向両側に設けた一対の係合部１５３，１５３がそれぞれ主制御基板４５の挿入孔１５２に挿入して係合するようになり、この係合状態は、上ケース４１と下ケース４２との結合を解除して主制御基板４５の裏側からでないと解除できなくなるので、第１の実施形態の場合と同様に不正行為を防止することができる。
【００８７】
尚、本発明は上記第１ないし第７の実施形態に限定されるものではなく、その他種々の形態を包含するものである。例えば上記第１の実施形態では、主基板ケース２３の上ケース４１と下ケース４２とを第１の結合部４７ａで締結具４８により分離不能に結合するに当たり、締結具４８として、ピン部５２と、その外周の基端側を囲繞する円筒状の頭部５３と、この両部５２，５３を連結する連結部５４とを備えてなる特殊形状のものを用いたが、本発明は、このものに限らず、ワンウエイネジやリベットなどの他の締結具を用いてもよい。
【００８８】
また、上記第５の実施形態では、コネクタカバー１３１の各短辺側壁部１３１ｃに、上ケース４１の挿入孔１３４に係合可能な係合部１３５を開口縁１３１ｂより前方に延出して形成し、この係合部１３５の外側寄りにコネクタカバー１３１の外側から係合部１３５を撓めるのを阻止するためのカバー部１３７を形成したが、本発明は、図４４に示すように、コネクタカバー１３１の各短辺側壁部１３１ｃの内側に、短辺側壁部１３１ｃから離れて前方に突出しかつ上ケース４１の挿入孔１３４に係合可能な係合部１６１を形成してもよい。この場合、コネクタカバー１３１の各短辺側壁部１３１ｃ自体が、コネクタカバー１３１の外側から係合部１３７を撓めるのを阻止するための機能を有することになる。
【００８９】
さらに、上記第１ないし第６の実施形態では、コネクタカバー７１，７２，１０１，１１１，１２１，１３１，１４１に、上ケース４１又は主制御基板４５に係合する係合部７７，８０，１０２，１２４，１３５，１４７を設けるに当たり、いずれも係合部７７，８０，１０２，１２４，１３５，１４７の係合状態を、係合部を収納空間側から破壊することなく解除可能に設けたが、本発明は、場合によっては、例えば図４５に示すように、第５の実施形態の如きコネクタカバー１３１の各短辺側壁部１３１ｃにそれぞれ両面矢尻形の係合部１６６を形成し、この係合部１６６が上ケースの挿入孔に係合したとき、上ケースの裏側から係合部１６６を切断しなければ係合部１６６の係合状態を解除不能にするように構成してもよい。
【００９０】
加えて、上記第７の実施形態では、ケーブル８１側のコネクタ１５１に、主制御基板４５側のコネクタ４４ａに接続したとき主制御基板４５に設けた挿入孔１５２に挿入して係合する係合部１５３を設けたが、本発明は、主制御基板４５の代わりに、上ケース４１に設けた挿入孔に挿入して係合する係合部をケーブル８１側のコネクタ１５１に設けるように構成してもよい。同じく第７の実施形態では、ケーブル８１側のコネクタ１５１の長手方向両側に上記係合部１５３を一対設けるに当たり、この各係合部１５３をコネクタ１５１に一体に形成するようにしたが、例えば図４６に示すように、ケーブル８１側のコネクタ１７１にその外周を覆って２つ折り状態で装着されるカバー部材１７２を設け、このカバー部材１７２の３箇所（コネクタ１７１の長手方向両側に対応する箇所）にそれぞれ係合部１７３を一体に形成してもよい。この場合、ケーブル８１側のコネクタ１７１ないしケーブル８１自体に、汎用のものを使用できるという利点がある。
【００９１】
また、上記各実施形態では、いずれも本発明の遊技機用基板ケースを、スロットマシンに装備される主基板ケースに適用した場合について述べたが、スロットマシン以外のパチンコ機などの遊技機に装備される基板ケースにも同様に適用することができるのは勿論である。特に、パチンコ機に装備される基板ケースとしては、遊技内容を制御する主制御基板を収容する主基板ケース、各検出器からの遊技球の検出信号を受けて主制御基板に送信するための中継基板を収容する中継基板ケース、主制御基板からの信号を受けて所定数の賞球の払出を行う払出基板を収容する払出基板ケース、主制御基板から払出信号を受けて払出基板に送信するための中継基板を収容する中継基板ケースなどに適用することが望ましく、上記各実施形態で述べたように、基板に対する不正な信号入力による不正な遊技、ひいては不正な遊技媒体の獲得という不正行為を防止できるという効果を奏する。また、上記各実施形態において、コネクタカバーは上下ケースを封止した後に取付可能であるにも拘わらず、取り外しには上下ケースの封止の解除が条件となるため、本発明の基板ケースは、組立時などの利便性を確保しつつ、不正の防止化を図ることができる。また、不正行為の防止に加えて、接続部分の不用意な破損や変形を防止できる。
【図面の簡単な説明】
【００９２】
【図１】本発明の実施形態に係るスロットマシンの外観を示す正面図である。
【図２】上記スロットマシンから前扉を取り外して見た筐体内の配置レイアウトを示す正面図である。
【図３】上記前扉の裏面側を示す背面図である。
【図４】本発明の第１の実施形態に係る主基板ケースの斜視図である。
【図５】同平面図である。
【図６】上記主基板ケースの上ケース、主制御基板及びコネクタカバーの分解斜視図である。
【図７】上記主基板ケースの下ケースを外した状態の斜視図である。
【図８】締結具を示し、（ａ）は平面図、（ｂ）は正面図、（ｃ）は斜視図である。
【図９】主基板ケースの各結合部に締結具を保持させた状態を示す拡大斜視図である。
【図１０】図９のＸ−Ｘ線における断面図である。
【図１１】（ａ）は図９のＹ−Ｙ線における上下ケースの結合状態を示す断面図、（ｂ）は上下ケースの分離状態を示す断面図である。
【図１２】図５のＺ−Ｚ線における拡大断面図である。
【図１３】内枠パネルに対する扉中継基板及び基板カバーの取付状態を示す図である。
【図１４】図１３のＤ―Ｄ線における拡大断面図である。
【図１５】図１３のＥ−Ｅ線における拡大断面図である。
【図１６】図１３のＦ付近の拡大図である。
【図１７】ワンウエイネジを示し、（ａ）は正面図、（ｂ）は側面図である。
【図１８】第２の実施形態を示す図１２相当図である。
【図１９】第３の実施形態に係る主基板ケースのヒンジ側部分の平面図である。
【図２０】同斜視図である。
【図２１】上記主基板ケースのコネクタカバーを取り外した状態を示す斜視図である。
【図２２】図１９のＧ−Ｇ線における拡大断面図である。
【図２３】図１９のＨ−Ｈ線における拡大断面図である。
【図２４】第４の実施形態を示す図１９相当図である。
【図２５】同じく図２０相当図である。
【図２６】同じく図２１相当図である。
【図２７】図２４のＩ−Ｉ線における拡大断面図である。
【図２８】第５の実施形態を示す図１９相当図である。
【図２９】内側上方より見た斜視図である。
【図３０】図２８のＪ−Ｊ線における拡大断面図である。
【図３１】図３０のＫ−Ｋ線におけるコネクタカバーの断面図である。
【図３２】図２８のＬ−Ｌ線における拡大断面図である。
【図３３】図２８のＭ−Ｍ線における拡大断面図である。
【図３４】コネクタカバーを示し、（ａ）は平面図、（ｂ）は正面図、（ｃ）は底面図である。
【図３５】図３４（ａ）のＮ−Ｎ線における断面図である。
【図３６】図３４（ａ）のＯ方向から見た矢視拡大図である。
【図３７】図３４（ａ）のＰ−Ｐ線における拡大断面図である。
【図３８】図３４（ａ）のＱ−Ｑ線における拡大断面図である。
【図３９】第６の実施形態を示す図１２相当図である。
【図４０】図３９のＲ−Ｒ線に沿って見た拡大矢視図である。
【図４１】第７の実施形態を示す図１９相当図である。
【図４２】図４１のＳ−Ｓ線における断面図である。
【図４３】主制御基板側のコネクタとケーブル側のコネクタとの接続前の状態を示す斜視図である。
【図４４】第５の実施形態の変形例を示すコネクタカバーの部分断面図である。
【図４５】本発明のその他の実施形態を示すコネクタカバーの正面図である。
【図４６】第７の実施形態の変形例を示す斜視図である。
【符号の説明】
【００９３】
２３    主基板ケース（遊技機用基板ケース）
３２    内枠パネル
３３    扉中継基板（他の基板）
４１    上ケース
４２    下ケース
４３    ケース本体（収容空間）
４４ａ，４４ｂ，４４ｃ，４４ｃ    制御基板側のコネクタ
４５    主制御基板
４７ａ  第１の結合部
４７ｂ  第２の結合部
４８    締結具
６６，６７，６８，６９，１２２    開口部
７１，７２，１０１，１１１，１２１，１３１，１４１    コネクタカバー
７５，１２３，１３４，１５２    上ケースの挿入孔
７６，１５２    主制御基板の挿入孔
７７，８０，１０２，１１５，１２４，１３５，１４７，１５３，１６１，１６６，１７３    係合部
８１，８２    ケーブル
８３ａ，８３ｂ，８３ｃ    扉中継基板側のコネクタ
８４    基板カバー
８９    固定部
９２    脆弱部
１１１ｂ  フランジ部
１１２    ガイド溝
１１６，１３６，１４５    切り欠き溝（可撓性部）
１１７    陥入孔
１３７，１４８    カバー部
１５１，１７１    ケーブル側のコネクタ
【図１】
2008062013.tif 000003
【図２】
2008062013.tif 000004
【図３】
2008062013.tif 000005
【図４】
2008062013.tif 000006
【図５】
2008062013.tif 000007
【図６】
2008062013.tif 000008
【図７】
2008062013.tif 000009
【図８】
2008062013.tif 000010
【図９】
2008062013.tif 000011
【図１０】
2008062013.tif 000012
【図１１】
2008062013.tif 000013
【図１２】
2008062013.tif 000014
【図１３】
2008062013.tif 000015
【図１４】
2008062013.tif 000016
【図１５】
2008062013.tif 000017
【図１６】
2008062013.tif 000018
【図１７】
2008062013.tif 000019
【図１８】
2008062013.tif 000020
【図１９】
2008062013.tif 000021
【図２０】
2008062013.tif 000022
【図２１】
2008062013.tif 000023
【図２２】
2008062013.tif 000024
【図２３】
2008062013.tif 000025
【図２４】
2008062013.tif 000026
【図２５】
2008062013.tif 000027
【図２６】
2008062013.tif 000028
【図２７】
2008062013.tif 000029
【図２８】
2008062013.tif 000030
【図２９】
2008062013.tif 000031
【図３０】
2008062013.tif 000032
【図３１】
2008062013.tif 000033
【図３２】
2008062013.tif 000034
【図３３】
2008062013.tif 000035
【図３４】
2008062013.tif 000036
【図３５】
2008062013.tif 000037
【図３６】
2008062013.tif 000038
【図３７】
2008062013.tif 000039
【図３８】
2008062013.tif 000040
【図３９】
2008062013.tif 000041
【図４０】
2008062013.tif 000042
【図４１】
2008062013.tif 000043
【図４２】
2008062013.tif 000044
【図４３】
2008062013.tif 000045
【図４４】
2008062013.tif 000046
【図４５】
2008062013.tif 000047
【図４６】
2008062013.tif 000048